(57)【特許請求の範囲】
【請求項１】
内部に石鹸を保持する網袋と、該網袋の開口部の開口状態を保持する状態に上記開口部の周縁に沿って閉ループ状に成形された線状体から成る枠体と、該枠体に結合された吊り下げ体と、を具備し、上記線状体は、上記閉ループの一部又は全部が重なる状態に成形され、上記吊り下げ体は、上記線状体の上記重ねられた部分と結合されていることを特徴とする石鹸入れ。
【請求項２】
上記吊り下げ体が、紐状体によって形成されたことを特徴とする請求項１に記載の石鹸入れ。
【請求項３】
上記吊り下げ体を形成する上記紐状体によって、上記枠体を形成する上記線状体の上記重ねられた部分をまとめて捲着することにより上記枠体と該吊り下げ体とを結合させたことを特徴とする請求項２に記載の石鹸入れ。
【請求項４】
上記枠体を形成する上記線状体により上記網袋の上記開口部周縁の一部を係止する係止部を形成したことを特徴とする請求項１、２又は３に記載の石鹸入れ。
【発明の詳細な説明】
【０００１】
【発明の属する技術分野】
本発明は、固形石鹸（以下、石鹸と称す。）を保持する石鹸入れに関し、特に上記石鹸を保持したままの状態でこの石鹸を使用することのできる石鹸入れに関する。
【０００２】
【従来の技術】
上記のような石鹸入れとして、従来、例えば図６に示すようなものがある。同図において、１０１は、例えばビニールやナイロン等のプラスチック製の網袋で、この網袋１０１内に石鹸（図示せず）が保持される。また、網袋１０１の開口部１０１ａには、その開口状態を保持するように枠体１０２が設けられており、これによって網袋１０１内に石鹸を入れ易くしている。
【０００３】
枠体１０２は、図７に示すように、例えば太さｄの針金を直径Ｄの円環状に成形したもので、この枠体１０２の形成する上記円環に沿う状態に、上記網袋１０１の開口部１０１ａの周縁が結合されている。例えば、上記網袋１０１の開口部１０１ａの周縁を若干、例えば１０乃至２０ｍｍ程度の幅で折り返し、この折り返した先端部分１０１ｂを上記開口部１０１ａの周縁に沿って、例えばビニールやナイロン等のプラスチック製の糸（図示せず）で縫着することにより、上記周縁に沿う状態に通し孔１０１ｃを設ける。そして、この通し孔１０１ｃに上記枠体１０２を挿通させることにより、網袋１０１と枠体１０２とを結合させている。なお、この枠体１０２の上記直径Ｄについては、未使用の石鹸が貫通可能な程度の寸法、例えばＤ＝６０乃至７０ｍｍ程度とされている。
【０００４】
更に、上記枠体１０２と一体に、吊り下げ体１０３が形成されている。この吊り下げ体１０３は、図６乃至図８に示すように、枠体１０２よりも上方に向かって例えば概略？記号状に形成されており、即ち上記網袋１０１を下に向けた状態でこの石鹸入れを例えば水道パイプの蛇口付近等に吊り下げることができるよう構成されている。
【０００５】
上記のように、この石鹸入れでは、石鹸を網袋１０１内に保持しているので、網袋１０１の外側からこの網袋１０１の網の目を介して石鹸に触ることができる。従って、この石鹸入れでは、石鹸を網袋１０１内に保持したままの状態で、かつ、この石鹸入れ自体を吊り下げたままの状態で、上記石鹸を使用することができる。
【０００６】
ここで、上記の状態で石鹸を使用した場合に、例えば手で引っ張る等により、外部から枠体１０２及び吊り下げ体１０３に対して機械的な負荷（応力）が掛かる。従って、この負荷により上記枠体１０２及び吊り下げ体１０３の形状が変形しないように、これらを形成する上記針金として、機械的強度の高い金属、例えばステンレス製の針金が用いられ、その太さｄも例えばｄ＝３乃至４ｍｍ程という針金としては太いものが用いられている。なお、上記ステンレスは、他の金属に比べて耐食性にも優れているので、石鹸入れを構成する上記枠体１０２及び吊り下げ体１０３の材料として適している。
【０００７】
また、上記のように、この石鹸入れに対して外部から負荷が掛けられている状態では、上記負荷は、枠体１０２と吊り下げ体１０３との結合部分（同図に矢印１０４で示す部分）に対して最も大きく作用する。従って、この負荷によって、枠体１０２の形成する円環、及び枠体１０２と吊り下げ体１０３との結合状態が崩れないようにするために、上記枠体１０２及び吊り下げ体１０３を形成する上記針金とは別の細い針金１０５により上記結合部分を強固に固定している。なお、上記結合部分を固定する針金１０５は、網袋１０１の開口部１０１ａ周縁の一部も一緒に絡めて上記結合部分に捲着されており、これによって網袋１０１の偏りを防止する作用も兼ねている。
【０００８】
【発明が解決しようとする課題】
しかし、上記従来技術においては、機械的強度の高い例えばステンレス製の針金で、かつ太さｄがｄ＝３乃至４ｍｍという針金としては太い針金によって、上記枠体１０２及び吊り下げ体１０３を形成している。このように機械的強度が高くかつ太い（機械的に強硬な）針金を例えば曲げ加工して上記枠体１０２及び吊り下げ体１０３を形成するのには、非常に大きな加工力を必要とするため、人間の手作業等によって簡単に加工することができず、工作機械等による加工が必要となる。従って、この針金の加工に手間が掛かり、コストアップにつながってしまうという問題がある。
【０００９】
また、枠体１０２と吊り下げ体１０３とは、上記のような強硬な針金によって一体化されているので、この石鹸入れを使用する際の使い勝手が悪いという問題もある。
【００１０】
更に、上記枠体１０２と吊り下げ体１０３とを針金１０５によって固定しているため、この針金１０５を捲着する作業についても手間が掛かり、これもコストアップの原因となる。
【００１１】
そこで、本発明は、上記従来技術と比較して、例えば人間の手作業等によって簡単に製造することができ、また、柔軟で使い勝手の良い石鹸入れを提供することを目的とする。
【００１２】
【課題を解決するための手段】
上述した目的を達成するために、本発明のうちで請求項１に記載の発明は、内部に石鹸を保持する網袋と、該網袋の開口部の開口状態を保持する状態に上記開口部の周縁に沿って閉ループ状に成形された線状体、例えば針金から成る枠体と、該枠体に結合された吊り下げ体と、を具備し、上記線状体は、上記閉ループの一部又は全部が重なる状態に成形され、上記吊り下げ体は、上記線状体が上記重ねられた部分と結合されていることを特徴とするものである。
【００１３】
即ち、この石鹸入れを使用する際、例えば手で引っ張る等により、この石鹸入れに対して外部から機械的な負荷（応力）が掛かるが、この負荷は、枠体と吊り下げ体との結合部分に対して最も大きく作用する。ここで、本請求項１に記載の発明によれば、枠体を形成する線状体のうち、最も機械的強度の高い部分は、線状体が重ねられた部分であり、この部分と吊り下げ体とが結合されている。つまり、この石鹸入れに対して外部から機械的な負荷が掛けられたとき、最も大きな負荷の掛かる部分（枠体と吊り下げ体との結合部分）の機械的強度が最も高くなるように構成されている。従って、上記枠体を形成する線状体、例えば針金として、比較的に細いものを使用し、この細い針金をその一部又は全部が重なる状態に閉ループ状に成形することにより、上記負荷に対して機械的に十分強度の高い枠体を形成することができる。
【００１４】
請求項２に記載の発明は、請求項１に記載の発明において、上記吊り下げ体が、例えばロープやチェーン等の所謂柔軟性のある紐状体によって形成されたことを特徴とするものである。
【００１５】
即ち、吊り下げ体に柔軟性を持たせることができる。
【００１６】
請求項３に記載の発明は、請求項２に記載の発明において、上記吊り下げ体を形成する上記紐状体によって、上記枠体を形成する上記線状体の上記重ねられた部分をまとめて捲着することにより上記枠体と該吊り下げ体とを結合させたことを特徴とするものである。
【００１７】
即ち、上記吊り下げ体を形成する紐状体の捲着によって、枠体の形成する閉ループ、及び枠体と吊り下げ体との結合状態が保持される。
【００１８】
請求項４に記載の発明は、請求項１、２又は３に記載の発明において、上記枠体を形成する上記線状体により上記網袋の上記開口部周縁の一部を係止する係止部を形成したことを特徴とするものである。
【００１９】
即ち、網袋の一部が、枠体に係止される。
【００２０】
【発明の実施の形態】
本発明に係る石鹸入れの実施の形態について、その一例を図１から図５を参照して説明する。なお、本実施の形態に係る石鹸入れも、上述した従来技術のものと同様に、これ自体を例えば水道パイプの蛇口付近等に吊り下げ、これに石鹸を保持させたままの状態で、上記石鹸を使用することができるよう構成されたものである。
【００２１】
図１に、この石鹸入れの外観斜視図を示す。同図において、１は、上記従来技術の網袋１０１と同様、例えばビニールやナイロン等のプラスチック製の網袋で、この網袋１内に石鹸（図示せず）が保持される。また、この網袋１の開口部１ａには、その開口状態を保持するように枠体２が設けられており、これによってこの網袋１内に石鹸を入れ易くしている。
【００２２】
上記枠体２は、図２に示すように、例えば太さｔの針金を閉ループ状に、例えば直径φの円環状に成形したもので、この枠体２の形成する上記円環に沿う状態に、上記網袋１の開口部１ａの周縁が結合されている。例えば、図３に示すように、網袋１の開口部１ａの周縁を若干、例えば１０乃至２０ｍｍ程度の幅で折り返し、この折り返した先端部分１ｂを上記開口部１ａの周縁に沿って、例えばビニールやナイロン等のプラスチック製の糸４で縫着することにより、上記周縁に沿う状態に通し孔１ｃを設ける。そして、この通し孔１ｃに上記枠体２を挿通させることにより、上記網袋１と枠体２とを結合させている。なお、枠体２の直径φについては、上記従来技術の枠体１０２の直径Ｄと同様に、未使用の石鹸を貫通させることができる程度の寸法、例えばφ＝６０乃至７０ｍｍ程度とされている。
【００２３】
ところで、枠体２を形成する針金は、上記従来技術の枠体１０２を形成している針金よりも細い針金で、太さｔが例えばｔ＝１ｍｍ程度のものとされている。そして、この針金を円環状に成形して上記枠体２を形成する際、この針金の両端２ａ、２ａが、若干、例えば２０乃至３０ｍｍほど互いに二重に重なるよう構成されている。更に、この針金の両端２ａ、２ａは、図４に示すように、各々の伸延する方向とは反対側に折り返され、各先端が互いに対向する状態に成形されている。なお、この針金の両端２ａ、２ａは、網袋１の網の目の一部を介して折り返されており、即ち、この針金の両端２ａ、２ａの折り返しにより網袋１の開口部１ａ周縁の一部を係止するよう構成されている。この針金の両端２ａ、２ａの折り返しが、特許請求の範囲に記載の係止部に対応する。
【００２４】
そして、枠体２の上記針金が重ねられた部分、詳しくは上記針金の両端２ａ、２ａ（各先端）間に、吊り下げ体３が結合されている。吊り下げ体３は、柔軟性のある例えば木綿製の環状にした紐等によって形成されており、これを、例えば図１及び図５に示すように、上記針金の重ねられた部分に結び付けることにより、枠体２とこの吊り下げ体３との結合を実現している。従って、この石鹸入れ自体を吊り下げる場合には、上記吊り下げ体３の上記枠体２と結合されている側とは反対側を、例えば水道パイプの蛇口付近等に掛止させればよい。
【００２５】
なお、上記吊り下げ体３を形成する紐を枠体２に結び付ける際、図５に示すように、上記紐の上記蛇口等に掛止される側を、極力、枠体２の内側に位置させるように結び付ける。このように構成することによって、この石鹸入れを吊り下げたとき、枠体２の上記吊り下げ体３が位置する側とは反対側（同図の右側）を同図の上方（矢印５の方向）に持ち上げることができ、即ちこの枠体２を水平に近い状態で保持することができる。このように枠体２の水平状態を保持することによって、この石鹸入れを吊り下げた状態で網袋１内に石鹸を入れる際、石鹸を入れ易くすることができる。
【００２６】
ところで、上述したように、この石鹸入れを吊り下げた状態で使用すると、例えば手で引っ張る等により、この石鹸入れに対して外部から機械的な負荷が掛かる。この負荷は、枠体２と吊り下げ体３との結合部分（各図に矢印６で示す部分）に対して最も大きく作用する。しかし、本実施の形態によれば、枠体２を形成する針金は、その上記吊り下げ体３との結合部分が二重に重ねられており、即ち枠体２全体において上記結合部分の機械的強度が最も高くなるように構成されている。従って、この枠体２を形成する針金として、上記のような例えば太さｔ＝１ｍｍ程度の比較的に細い針金を使用しても、上記負荷に十分対応し得る（例えば上記負荷によって枠体２の形成する円環が崩れたりしない）機械的強度を得ることができる。
【００２７】
上記のように、本実施の形態によれば、上記枠体２を形成する針金として、上述の従来技術のものに比べて遙に細い例えば太さｔ＝１ｍｍの針金を使用しているので、この針金の加工にわざわざ工作機械等を使用しなくても、例えば人間の手作業等によって簡単に上記針金の加工を行うことができる。従って、この石鹸入れの製造コストの低コスト化を実現することができる。
【００２８】
また、上述したように上記針金を網袋１の通し孔１ｃに挿通させる場合についても、この針金が、従来のものよりも細くまた柔軟性にも富んでいるので、上記通し孔１ｃに通し易く、即ちこの針金（枠体２）の網袋１への取り付け作業が容易になる。
【００２９】
そして、吊り下げ体３を、柔軟性のある紐で形成しているので、機械的に強硬な針金によって枠体１０２と吊り下げ体１０３とを一体形成した上記従来技術に比べて、この石鹸入れの使い勝手を向上させることができる。
【００３０】
更に、上記枠体２を形成する針金が二重に重ねられた部分（矢印６の部分）を吊り下げ体３によってまとめて捲着することにより、上記枠体２と吊り下げ体３との結合状態を保持している。また、上記枠体２を形成する針金によって、網袋１の開口部１ａ周縁の一部を係止することにより、この枠体２に設けられた網袋１の偏りを防止している。従って、上記従来技術においてこれらと同様の作用を奏する針金１０５及びこの針金１０５の捲着作業等を必要としないので、これによっても低コスト化を実現することができる。
【００３１】
なお、本実施の形態においては、枠体２の形状を円環状としたが、これ以外の形状、例えば多角形等としてもよい。また、この枠体２を形成する針金として、例えばビニール等が被覆された針金を用いることにより、この針金自体の耐腐食性をより向上させることができると共に、この石鹸入れの美感及び清潔感を向上させることができる。
【００３２】
また、上記針金を円環状に成形して枠体２を形成する際、上記円環の一部が二重に重なるように成形したが、上記円環の全周にわたって二重に重なるよう上記針金を成形してもよい。更に、上記針金の重なりを二重以上としてもよい。
【００３３】
そして、吊り下げ体３については、これを木綿製の紐で形成したが、例えばビニールやナイロン等のプラスチック製の紐（ロープ）で上記吊り下げ体３を形成してもよい。また、これらの紐に限らず、例えばチェーン等の他の柔軟性素材や、更には針金等の柔軟性素材以外の材料により、上記吊り下げ体３を形成してもよい。
【００３４】
【発明の効果】
請求項１に記載の発明によれば、枠体を形成する線状体、例えば針金として、比較的に細いものを使用し、この細い針金をその一部又は全部が重なる状態に閉ループ状に成形することにより、外部からの負荷に対して機械的に十分強度の高い枠体を形成することができる。即ち、上記枠体を形成する針金として、上述の従来技術において枠体２及び吊り下げ体１０３を形成する針金に比べて、細い針金を使用することができる。このように従来よりも細い針金で枠体を形成することができるので、上記従来技術とは異なり、針金の加工に工作機械等を使用すること無く、例えば人間の手作業等によって簡単に上記針金を加工することができる。従って、この針金の加工に手間が掛からず、従来よりも低コストで石鹸入れを製造することができるという効果がある。
【００３５】
請求項２に記載の発明によれば、例えばロープやチェーン等の紐状体によって吊り下げ体を形成することにより、吊り下げ体に柔軟性を持たせている。従って、機械的に強硬な針金によって枠体２と吊り下げ体１０３とを一体形成した上記従来技術に比べて、この石鹸入れの使い勝手を向上させることができるという効果がある。
【００３６】
請求項３に記載の発明によれば、上記吊り下げ体を形成する紐状体の捲着によって、枠体の形成する閉ループ、及び枠体と吊り下げ体との結合状態を保持している。従って、上記従来技術のような枠体２と吊り下げ体１０３とを固定するための針金１０５の捲着作業等を必要としないので、これによっても低コスト化を実現することができる。
【００３７】
請求項４に記載の発明によれば、枠体を形成する線状体によって、網袋の上記開口部周縁の一部を係止しているので、枠体に設けられた網袋の偏りを防止することができるという効果がある。
【図面の簡単な説明】
【図１】本発明に係る石鹸入れの一実施の形態を示す外観斜視図である。
【図２】同実施の形態における石鹸入れの枠体の平面図で、網袋及び吊り下げ体を省略した図である。
【図３】図１のＩ−Ｉ端面図である。
【図４】同実施の形態における石鹸入れの枠体の背面図で、網袋及び吊り下げ体を省略した図である。
【図５】同実施の形態の石鹸入れにおける枠体と吊り下げ体との結合状態を示す側面図で、網袋を省略した図である。
【図６】従来の石鹸入れの外観斜視図である。
【図７】同従来技術における石鹸入れの枠体及び吊り下げ体の平面図で、網袋を省略した図である。
【図８】同従来技術における石鹸入れの枠体及び吊り下げ体の背面図で、網袋を省略した図である。
【符号の説明】
１  網袋
２  枠体（針金）
３  吊り下げ体（紐）
【図１】
0003636803.tif 000002
【図２】
0003636803.tif 000003
【図３】
0003636803.tif 000004
【図４】
0003636803.tif 000005
【図７】
0003636803.tif 000006
【図８】
0003636803.tif 000007
【図５】
0003636803.tif 000008
【図６】
0003636803.tif 000009